(57)【要約】【課題】締結対象物に対する締結作業が容易なレンズ鏡筒、該レンズ鏡筒を装着可能な光学機器のマウント構造及びカメラを提供する。【解決手段】レンズ鏡筒（２）を、筒状に形成され、その内径側を被写体光が通過するマウント基部（４１）と、締結対象物（１）に対して機械的に係合して前記マウント基部に前記締結対象物を締結する係合位置と、前記締結対象物に対する係合が解除された非係合位置との間を前記マウント基部に対して移動可能に設けられた係合部（４２）と、前記係合部の前記係合位置と前記非係合位置との間の移動に連動して、実質的な被写体光の光路から退避した開位置と前記光路上に配置された閉位置との間を移動可能な移動部材（５１）とを備える構成とした。【選択図】図１
2010026469.tif 000002
【特許請求の範囲】
【請求項１】
筒状に形成され、その内径側を被写体光が通過するマウント基部と、
締結対象物に対して機械的に係合して前記マウント基部に前記締結対象物を締結する係合位置と、前記締結対象物に対する係合が解除された非係合位置との間を前記マウント基部に対して移動可能に設けられた係合部と、
前記係合部の前記係合位置と前記非係合位置との間の移動に連動して、実質的な被写体光の光路から退避した開位置と前記光路上に配置された閉位置との間を移動可能な移動部材と
を備えるレンズ鏡筒。
【請求項２】
請求項１に記載のレンズ鏡筒において、
前記係合部は、前記係合位置において前記マウント基部の外周面又は内周面から突き出して前記締結対象物に機械的に係合し、前記非係合位置において前記マウント基部に収容されること
を特徴とするレンズ鏡筒。
【請求項３】
請求項１又は請求項２に記載のレンズ鏡筒において、
前記マウント基部が前記締結対象物に対し接近することによって該締結対象物に押圧されて移動し、該移動によって前記係合部を前記非係合位置から前記係合位置に駆動する、又は、前記移動部材を前記閉位置から前記開位置に駆動する駆動機構を備えること
を特徴とする光学機器のレンズ鏡筒。
【請求項４】
請求項１から請求項３までの何れか１項に記載のレンズ鏡筒において、
前記係合部を前記係合位置から前記非係合位置に移動させる操作部を備えること
を特徴とするレンズ鏡筒。
【請求項５】
請求項１から請求項４までの何れか１項に記載のレンズ鏡筒において、
撮影レンズを備え、
前記移動部材は、前記閉位置において前記撮影レンズのうち最も被写体光の進行方向射出側のレンズの射出面を保護すること
を特徴とするレンズ鏡筒。
【請求項６】
請求項１から請求項５までの何れか１項に記載のレンズ鏡筒において、
前記係合部が複数設けられたこと
を特徴とするレンズ鏡筒。
【請求項７】
第１の光学機器に設けられ、該第１の光学機器と第２の光学機器とを締結させるマウント構造であって、
筒状に形成され、その内径側を被写体光が通過するマウント基部と、
前記第２の光学機器に機械的に係合して前記マウント基部を前記第２の光学機器に締結させる係合位置と、前記第２の光学機器に対する係合が解除された非係合位置との間を前記マウント基部に対して移動可能な係合部と、
前記係合部の前記係合位置と前記非係合位置との間の移動に連動して、実質的な被写体光の光路から退避した開位置と前記光路上に配置された閉位置との間を移動可能な移動部材と
を備える光学機器のマウント構造。
【請求項８】
請求項７に記載の光学機器のマウント構造において、
前記係合部は、前記係合位置において前記マウント基部の外周面又は内周面から突き出して前記第２の光学機器に機械的に係合し、前記非係合位置において前記マウント基部に収容されること
を特徴とする光学機器のマウント構造。
【請求項９】
請求項７又は請求項８に記載の光学機器のマウント構造において、
前記マウント基部が前記第２の光学機器に対し接近することによって該第２の光学機器に押圧されて移動し、該移動によって前記係合部を前記非係合位置から前記係合位置に駆動する、又は、前記移動部材を前記閉位置から前記開位置に駆動する駆動機構を備えること
を特徴とする光学機器のマウント構造。
【請求項１０】
請求項７から請求項９までの何れか１項に記載の光学機器のマウント構造において、
前記係合部を前記係合位置から前記非係合位置に移動させる操作部を備えること
を特徴とする光学機器のマウント構造。
【請求項１１】
請求項７から請求項１０までの何れか１項に記載の光学機器のマウント構造において、
前記係合部が複数設けられたこと
を特徴とする光学機器のマウント構造。
【請求項１２】
請求項１から６に記載のレンズ鏡筒を装着可能なカメラであって、
前記マウント基部とマウント可能なボディマウントを備え、
該ボディマウントは、前記マウント基部が前記ボディマウントに近接するにつれて前記係合部を前記非係合位置から前記係合位置へ移動せしめる押圧部を有することを特徴とするカメラ。
【発明の詳細な説明】
【技術分野】
【０００１】
本発明は、レンズ鏡筒、該レンズ鏡筒を装着可能な光学機器のマウント構造及びカメラに関するものである。
【背景技術】
【０００２】
従来、交換レンズとしては、マウント部に複数枚の羽根部を含む防塵機構を備えたものが知られている（例えば、特許文献１参照）。
【特許文献１】特開２００７−１３９８４９号公報
【発明の開示】
【発明が解決しようとする課題】
【０００３】
上述した従来の交換レンズは、カメラ本体に対する締結機構として公知のバヨネット式の締結機構が用いられているが、バヨネット式の締結機構は、交換レンズとカメラとを相対回転させる必要があり、締結作業をより容易に行うことが可能な締結機構が望まれていた。
本発明の課題は、締結対象物に対する締結作業が容易なレンズ鏡筒、該レンズ鏡筒を装着可能な光学機器のマウント構造及びカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、筒状に形成され、その内径側を被写体光が通過するマウント基部（４１）と、締結対象物（１）に対して機械的に係合して前記マウント基部に前記締結対象物を締結する係合位置と、前記締結対象物に対する係合が解除された非係合位置との間を前記マウント基部に対して移動可能に設けられた係合部（４２）と、前記係合部の前記係合位置と前記非係合位置との間の移動に連動して、実質的な被写体光の光路から退避した開位置と前記光路上に配置された閉位置との間を移動可能な移動部材（５１）とを備えるレンズ鏡筒（２）である。
【０００５】
請求項２の発明は、請求項１に記載のレンズ鏡筒において、前記係合部（４２）は、前記係合位置において前記マウント基部（４１）の外周面又は内周面から突き出して前記締結対象物（１）に機械的に係合し、前記非係合位置において前記マウント基部に収容されることを特徴とするレンズ鏡筒（２）である。
請求項３の発明は、請求項１又は請求項２に記載のレンズ鏡筒において、前記マウント基部（４１）が前記締結対象物（１）に対し接近することによって該締結対象物に押圧されて移動し、該移動によって前記係合部（４２）を前記非係合位置から前記係合位置に駆動する、又は、前記移動部材（５１）を前記閉位置から前記開位置に駆動する駆動機構（５３、Ｓ１）を備えることを特徴とする光学機器のレンズ鏡筒（２）である。
請求項４の発明は、請求項１から請求項３までの何れか１項に記載のレンズ鏡筒において、前記係合部（４２）を前記係合位置から前記非係合位置に移動させる操作部（５４）を備えることを特徴とするレンズ鏡筒（２）である。
請求項５の発明は、請求項１から請求項４までの何れか１項に記載のレンズ鏡筒において、撮影レンズを備え、前記移動部材（５１）は、前記閉位置において前記撮影レンズのうち最も被写体光の進行方向射出側のレンズ（Ｌ）の射出面を保護することを特徴とするレンズ鏡筒（２）である。
請求項６の発明は、請求項１から請求項５までの何れか１項に記載のレンズ鏡筒において、前記係合部（４２）が複数設けられたことを特徴とするレンズ鏡筒（２）である。
【０００６】
請求項７の発明は、第１の光学機器（２）に設けられ、該第１の光学機器と第２の光学機器（１）とを締結させるマウント構造であって、筒状に形成され、その内径側を被写体光が通過するマウント基部（４１）と、前記第２の光学機器に機械的に係合して前記マウント基部を前記第２の光学機器に締結させる係合位置と、前記第２の光学機器に対する係合が解除された非係合位置との間を前記マウント基部に対して移動可能な係合部（４２）と、前記係合部の前記係合位置と前記非係合位置との間の移動に連動して、実質的な被写体光の光路から退避した開位置と前記光路上に配置された閉位置との間を移動可能な移動部材（５１）とを備える光学機器のマウント構造（４０）である。
請求項８の発明は、請求項７に記載の光学機器のマウント構造において、前記係合部（４２）は、前記係合位置において前記マウント基部（４１）の外周面又は内周面から突き出して前記第２の光学機器（１）に機械的に係合し、前記非係合位置において前記マウント基部に収容されることを特徴とする光学機器のマウント構造（４０）である。
請求項９の発明は、請求項７又は請求項８に記載の光学機器のマウント構造において、前記マウント基部（４１）が前記第２の光学機器（１）に対し接近することによって該第２の光学機器に押圧されて移動し、該移動によって前記係合部（４２）を前記非係合位置から前記係合位置に駆動する、又は、前記移動部材（５１）を前記閉位置から前記開位置に駆動する駆動機構（５３、Ｓ１）を備えることを特徴とする光学機器のマウント構造（４０）である。
請求項１０の発明は、請求項７から請求項９までの何れか１項に記載の光学機器のマウント構造において、前記係合部（４２）を前記係合位置から前記非係合位置に移動させる操作部（５３）を備えることを特徴とする光学機器のマウント構造（４０）である。
請求項１１の発明は、請求項７から請求項１０までの何れか１項に記載の光学機器のマウント構造において、前記係合部（４２）が複数設けられたことを特徴とする光学機器のマウント構造（４０）である。
請求項１２の発明は、請求項１から６に記載のレンズ鏡筒を装着可能なカメラであって、前記マウント基部とマウント可能なボディマウント（２０）を備え、該ボディマウントは、前記マウント基部が前記ボディマウントに近接するにつれて前記係合部を前記非係合位置から前記係合位置へ移動せしめる押圧部（２５）を有することを特徴とするカメラである。
なお、符号を付して説明した構成は、適宜改良してもよく、また、少なくとも一部を他の構成物に代替してもよい。
【発明の効果】
【０００７】
本発明によれば、締結対象物に対する締結作業が容易なレンズ鏡筒、該レンズ鏡筒を装着可能な光学機器のマウント構造及びカメラを提供することができる。
【発明を実施するための最良の形態】
【０００８】
以下、図面等を参照して、本発明を適用したレンズ鏡筒の実施形態を含むカメラシステムについて説明する。
図１は、実施形態のレンズ鏡筒を含むカメラシステムを示す斜視図である。
カメラシステムは、カメラボディ１と、このカメラボディ１に着脱可能に装着されるレンズ鏡筒２とを備えている。
カメラボディ１は、筐体１０、マウント部２０等を備えている。
筐体１０は、カメラボディ１の外観面を形成する部分であり、例えば、金属材料や合成樹脂材料によって略直方体の箱形に形成されている。
【０００９】
筐体１０の前面部には、正面視で円形の開口部が形成されている。レンズ鏡筒２からカメラボディ１に向けて進行する被写体光は、この開口部を通過して図示しない撮像素子に導かれる。なお、筐体１０の前面部とは、筐体１０の各面部のうち、撮影時に被写体に対向する面部を意味するものとする。
【００１０】
マウント部２０は、カメラボディ１とレンズ鏡筒２とを締結するマウント機構の一部を形成する部分である。
マウント部２０は、マウント基部２１、爪部２２、開口規定部２３、電気接点２４等を備えている。
マウント基部２１は、例えば、金属材料によって形成された円環状の部材であり、筐体１０の前面部に形成された開口部の周縁部に沿って配置されている。
【００１１】
爪部２２は、カメラボディ１にレンズ鏡筒２が装着された状態において、後述するレンズ鏡筒２のマウント部４０に備えられた爪部４２に機械的に係合することによって、カメラボディ１とレンズ鏡筒２との光軸方向への相対移動を制限する部分である。
爪部２２は、マウント基部２１の内周面からマウント基部２１の内径側に突き出して形成されている。爪部２２は、例えば、２つが設けられており、マウント基部２１の内周面には、爪部２２が形成された２つの領域と、爪部２２が形成されていない２つの領域とが設けられている。
【００１２】
開口規定部２３は、被写体光を通過させる円形の開口部２３ａを中心部に備えた円板状の部材であり、マウント基部２１よりも筐体１１の内部側に配置されている。
電気接点２４は、開口規定部２３におけるレンズ鏡筒側を向いた面部から突き出して設けられ、カメラボディ１とレンズ鏡筒２とが締結された状態で、レンズ鏡筒２に備えられた電気接点４３に接触する。電気接点２４、４３は、それぞれ複数が設けられている。カメラボディ１は、これらの電気接点２４、４３を介してレンズ鏡筒２に電力を供給したり、レンズ鏡筒２と電気通信を行ったりする。
【００１３】
次に、レンズ鏡筒２の構成について説明する。
レンズ鏡筒２は、カメラボディ１に着脱可能に装着される光学機器の一例であり、鏡筒本体部３０、マウント部４０等を備えている。
鏡筒本体部３０は、例えば、金属材料や合成樹脂材料によって円筒形状に形成されており、その内部に複数のレンズ群によって形成される撮影光学系を収容している。
【００１４】
マウント部４０は、カメラボディ１とレンズ鏡筒２とを締結するマウント機構の他部を形成する部分であり、レンズ鏡筒２の一端部に設けられている。なお、図１を含む各図面に示すレンズ鏡筒２は、カメラボディ１に装着可能なレンズ鏡筒の一例であり、カメラボディ１は、このレンズ鏡筒２と実質的に同じ構成のマウント部を備えた複数種類のレンズ鏡筒が選択的に装着可能になっている。
【００１５】
マウント部４０は、マウント基部４１、爪部４２、電気接点４３、バリア装置５０等を備えている。
マウント基部４１は、鏡筒本体部３０の光軸方向カメラボディ側の端部に接続された有底円筒状の部分である。マウント基部４１の底部の中央部には、被写体光を通過させるための開口部４１ａが形成されている。
爪部４２は、カメラボディ１にレンズ鏡筒２が装着された状態において、カメラボディ１のマウント部２０における開口規定部２３と爪部２２との間に挿入され、これによってカメラボディ１に備えられた爪部２２に機械的に係合する。爪部４２は、カメラボディ側の爪部２２に対応して、例えば、２つが設けられている（図２参照）。
【００１６】
ここで、本実施形態のレンズ鏡筒２のマウント部４０において、爪部４２は、図１に示すレンズ鏡筒２がカメラボディ１に締結されていない状態でマウント基部４１の内部に収容されている（以下、このときの爪部４２の位置を収容位置と称する）。そして、爪部４２は、レンズ鏡筒２がカメラボディ１に締結される際の動作に連動してマウント基部４１の外周面から突き出し、これによってカメラボディ側の爪部２２に係合する（以下、このときの爪部４２の位置を突出位置と称する）。爪部４２を収容位置と突出位置との間で駆動する駆動機構については、後に説明するものとする。
電気接点４３は、マウント基部４１の底部におけるカメラボディ側を向いた面部に設けられている。
【００１７】
バリア装置５０は、マウント基部４１に形成された開口部４１ａを開閉する羽根部材５１を備えている。羽根部材５１は、略半円形に形成された板状の部材であり、本実施形態のバリア装置５０では、例えば、２枚が備えられている。
羽根部材５１は、図１に示すレンズ鏡筒２がカメラボディ１に締結されていない状態では、被写体光の光路上に配置されて開口部４１ａを閉じ、鏡筒本体部３０の内部にダストが進入するのを抑制したり、撮影光学系のうち最も射出側に配置されたレンズ（いわゆる後玉）を保護したりする（以下、このときのバリア装置５０の位置を閉位置と称する）。
一方、バリア装置５０は、レンズ鏡筒２がカメラボディ１に締結された状態において羽根部材５１が被写体光の光路から実質的に退避して開口部４１ａを開放する（以下、このときのバリア装置５０の位置を開位置と称する）。なお、被写体光の光路から実質的に退避するとは、被写体光の光束のうち撮影画像に影響を及ぼさない部分であれば、羽根部材５１が当該光束に抵触してもよい（完全に光路から退避しなくてもよい）ということを意味する。
【００１８】
ここで、本実施形態のレンズ鏡筒２は、爪部４２が収容位置から突出位置に移動する際の動作に連動して、バリア装置５０が閉位置から開位置に移動するようになっている。前述のように爪部４２は、レンズ鏡筒２がカメラボディ１に締結される際の動作に連動して収容位置から突出位置に移動するようになっているので、バリア装置５０も同様にレンズ鏡筒２がカメラボディ１に締結される際の動作に連動して閉位置から開位置に移動する。
【００１９】
以下、爪部４２の駆動機構及びバリア装置５０の開閉機構について図２〜４を用いて説明する。
図２は、図１に示すレンズ鏡筒に備えられた爪部の駆動機構及びバリア装置の開閉機構を光軸方向（Ｚ軸方向）から見た平面図である。
図３は、図２の爪部の駆動機構及びバリア装置の開閉機構を示す断面（Ｘ−Ｚ断面）図であり、爪部同士の係合の動作を示している。
図４は、図２の爪部の駆動機構及びバリア装置の開閉機構を示す断面（Ｙ−Ｚ断面）図であり、羽根部材が閉位置から開位置に移動する際の動作を示している。
なお、レンズ鏡筒２は、図１ではマウント部４０の構造を示すために光軸方向がＸ軸に平行となっているが、図２〜４では、光軸方向をＺ軸と平行にして示している。
【００２０】
図２に示すように、バリア装置５０は、羽根部材５１、羽根駆動部材５２、開閉レバー５３、解除ボタン５４等を備えている。羽根部材５１、羽根駆動部材５２、開閉レバー５３及び解除ボタン５４は、それぞれ実質的に同じものが一対、レンズＬの中心を挟んで対称に設けられている。以下、一対の羽根部材５１、羽根駆動部材５２、開閉レバー５３及び解除ボタン５４のうち、それぞれの一方についてのみ説明する。
羽根部材５１は、光軸に平行に設けられた軸部５１ａに一端部が回転可能に軸支されている。羽根部材５１は、この軸部５１ａ周りに回転することによって、図２（ａ）に示す閉位置と、図２（ｂ）に示す開位置との間を移動する。
【００２１】
羽根駆動部材５２は、羽根部材５１をレンズＬに対して開位置と閉位置との間で駆動する板状の部材であり、平面視で略Ｃ字状に湾曲して形成されている。
羽根駆動部材５２は、その一端が光軸に平行な軸部５２ａに回転可能に軸支されている。また、羽根駆動部材５２の他端には、光軸に平行に延在するピン５２ｂが形成されている。ピン５２ｂは、羽根部材５１に形成されたカム孔５１ｂに挿入されている。バリア装置５０は、羽根駆動部材５２が軸部５２ａ周りに回転すると、ピン５２ｂが羽根部材５１のカム孔５１ｂの内側面を押圧して羽根部材５１を軸部５１ａ周りに回転させる。羽根部材５１は、これによって開位置と閉位置との間で移動する。以下、羽根駆動部材５２の回転方向のうち、羽根部材５１を閉位置から開位置に移動させる際の回転方向を開駆動方向（図２（ａ）に矢印Ｏを付す）と称して説明する。
バリア装置５０は、羽根駆動部材５２とマウント基部４１とに渡して設けられた引っ張りバネＳ１を備えている。羽根駆動部材５２は、常時引っ張りバネＳ１の付勢力（図２（ａ）の矢印Ａ１参照）によって上述の開駆動方向Ｏに回転するように付勢されている。
【００２２】
羽根駆動部材５２には、前述した爪部４２が一体的に形成されている。爪部４２は、図２（ａ）に示す羽根部材５１が閉位置にある状態（以下、初期状態と称する）でマウント基部４１の内部に収容され、マウント基部４１の外周面から突き出さないようになっている。
そして、爪部４２は、図２（ｂ）に示すように、羽根駆動部材５２が開駆動方向Ｏに回転して羽根部材５１を開位置に駆動すると、これに連動してマウント基部４１の外周面から突き出すようになっている。
【００２３】
開閉レバー５３は、平面視で略Ｌ字状に形成された板状の部材であり、屈曲部分が光軸に平行に延在する軸部５３ａに回転可能に軸支されている。
開閉レバー５３の一端部は、マウント基部４１の外周面から突き出して設けられている。一方、開閉レバー５３の他端部には、羽根駆動部材５２に機械的に係合して羽根駆動部材５２の軸部５２ａ周りの回転を制限するストッパ面部５３ｂが形成されている。
【００２４】
羽根駆動部材５２は、図２（ａ）に示す初期状態で一端部（軸部５２ａに軸支されている側の端部）側に形成された突起５２ｃが開閉レバー５３のストッパ面部５３ｂに当接している。この突起５２ｃがストッパ面部５３ｂに当接した状態において、羽根駆動部材５２は、引っ張りバネＳ１の付勢力に関わらず、開駆動方向Ｏへの回転が制限される。
【００２５】
ここで、本実施形態のカメラシステムは、カメラボディ１とレンズ鏡筒２とを締結する際、レンズ鏡筒２を被写体光の進行方向と平行に直進させる（ユーザの直進操作による）ことによって、マウント基部４１をカメラボディ１のマウント基部２１の内径側に挿入する。このとき、開閉レバー５３がカメラボディ１の爪部２２に接触しないように、爪部２２の間を通過させる。また、締結完了状態で互いの電気接点２４、４３同士が接触するように、これらの電気接点２４、４３を対向させた状態でマウント基部４１をマウント基部２１の内径側に挿入する。なお、このユーザの直進操作の際のレンズボディへの装てん位置の位置決めを容易にするために、レンズ鏡筒や、カメラ側に位置決め指標やマークなどを設けておいて、装てんミスを低減せしめるように構成しておいても良い。
レンズ鏡筒２は、マウント基部４１がカメラボディ１のマウント基部２１の内径側に挿入されると、開閉レバー５３におけるマウント基部４１から突き出した端部が、図４に示すようにカメラボディ１のマウント部２０に形成されたカム部２５に押圧され軸部５３ａ周りに回転する（図２（ｂ）及び図４（ｂ）参照）。
【００２６】
開閉レバー５３は、カム部２５に押圧されて回転すると、図２（ｂ）及び図４（ｂ）に示すように、ストッパ面部５３ｂが羽根駆動部材５２の突起５２ｃから離間する。羽根駆動部材５２は、ストッパ面部５３ｂによる回転の制限が解除されると、引っ張りバネＳ１の付勢力によって開駆動方向Ｏに回転する（図２（ｂ）及び図３（ｂ）参照）。マウント部４０は、これによってバリア装置５０の羽根部材５１が閉位置から開位置に移動するとともに、爪部４２が収容位置から突出位置に移動してレンズ鏡筒２とカメラボディ１とを締結する。
【００２７】
レンズ鏡筒２をカメラボディ１から取り外す際は、解除ボタン５４を操作する。
解除ボタン５４は、鏡筒本体部３０から突き出して設けられた押しボタンである。前述した羽根駆動部材５２は、解除ボタン５４に押圧される被押圧突起５２ｄを備えており、解除ボタン５４と羽根駆動部材５２とは、連動するようになっている。
図２（ａ）及び図３（ａ）に示す初期位置（羽根部材５１が閉位置、爪部４２が収容位置）において、解除ボタン５４は、鏡筒本体部３０に押し込まれた状態とされる。また、解除ボタン５４は、レンズ鏡筒２がカメラボディに締結される際、羽根駆動部材５２の開駆動方向Ｏへの回転に連動して、鏡筒本体部３０から突き出す（図２（ｂ）及び図３（ｂ）参照）。
【００２８】
この状態で解除ボタン５４を押圧操作すると（図３（ｃ）参照）、羽根駆動部材５２は、開駆動方向Ｏとは反対の方向へ回転する。爪部４２は、これに応じて収容位置に移動し、レンズ鏡筒２は、カメラボディ１から取り外し可能な状態となる。そして、レンズ鏡筒２をカメラボディに対して被写体光の進行方向に直進移動させると、開閉レバー５３とカム部２５との係合が解除される。
ここで、バリア装置５０は、開閉レバー５３とマウント基部４１とに渡して設けられた引っ張りバネＳ２を備えている。開閉レバー５３は、常時引っ張りバネＳ２の付勢力（図２（ａ）の矢印Ａ２参照）によって図２（ａ）及び図４（ａ）に示す初期位置に復帰する方向に付勢されている。レンズ鏡筒２をカメラボディ１から取り外すと、開閉レバー５３は、自動的に初期位置に復帰し、ストッパ面部５３ｂと羽根駆動部材５２の突起５３ｃとが再び当接する。この状態では、解除ボタン５４の押圧操作を解除しても羽根駆動部材５２が開駆動方向Ｏに回転せず、羽根部材５１は閉位置に、爪部４２は収容位置に、それぞれ保持された状態となる（図２（ａ）、図３（ａ）、図４（ａ）参照）。
【００２９】
以上説明した実施形態のレンズ鏡筒２によれば、以下の効果を得ることができる。
（１）実施形態のレンズ鏡筒２において、爪部４２は、収容位置と突出位置との間をマウント基部４１に対して移動するので、レンズ鏡筒２とカメラボディ１とを締結する際に、例えば、レンズ鏡筒２とカメラボディ１とを相対回転させる必要がなく、締結作業が容易である。また、爪部４２は、レンズ鏡筒２のマウント基部４１をカメラボディ１のマウント基部２１に挿入することによって自動的に収容位置から突出位置に移動するので、締結作業が容易である。
（２）レンズ鏡筒２とカメラボディ１との締結作業に連動して、バリア装置５０が自動的に開閉動作を行うので、レンズ鏡筒２の締結時、取外時の両方でバリア装置５０を操作する必要がなく、作業効率がよい。
（３）バリア装置５０は、カメラボディ１から取り外された状態では、マウント基部４１の開口部４１ａを閉じるので、例えば、レンズＬの射出面を保護することができる。また、レンズ鏡筒２の内部にダスト等が進入することを抑制することもできる。
（４）爪部４２を収容位置に移動させる解除ボタン５４を備えるので、容易にレンズ鏡筒２をカメラボディ１から取り外すことができる。また、この解除ボタン５４の押圧操作に連動して羽根部材５１が自動的に閉位置に移動するので便利である。
（５）爪部４２を複数設けたので、カメラボディ１とレンズ鏡筒２とを安定した状態で締結することができる。
【００３０】
［変形形態］
本発明は、以上説明した実施形態に限定されることなく、以下に示すような種々の変形や変更が可能であって、これらも本発明の技術的範囲内に含まれる。
（１）実施形態では、羽根部材５１を駆動する羽根駆動部材５２に爪部４２（係合部）を形成したが、これに限らず、例えば、羽根部材５１に爪部を一体に設けてもよい。この場合、羽根部材５１を開閉レバー５３によって直接駆動する構成にし、且つ羽根部材５１が閉位置から開位置に移動するのに連動して爪部がマウント基部４１の外周面から突出するように構成するとよい。
（２）実施形態の開閉レバー５３は、爪部４２を有する開閉駆動部材５２に接続され、軸部５３ａ周りの回転によって開閉駆動部材５２を駆動（これに連動して羽根部材５１が移動）したが、これに限らず、開閉レバー５３を羽根部材５１に接続し、軸部５３ａ周りによって羽根部材５１を駆動（これ連動して開閉駆動部材５２（爪部４２）が移動）するようにしてもよい。
（３）実施形態では、レンズ鏡筒２に爪部４２及びバリア装置５０を設けた例を説明したが、これに限らず、これらを、例えば、カメラボディ１に設けても良い。この場合、カメラボディ１の爪部２２をマウント基部２１に対して移動する可動式の爪部とするとともに、開口規定部２３に形成された開口部２３ａを開閉するバリア装置を設け、これらを連動させる。
（４）実施形態のレンズ鏡筒２は、カメラボディ１との締結時に開閉レバー５３がカム部２５に押圧されることによって自動的に爪部４２を突出位置に、バリア装置５０を開位置にそれぞれ駆動したが、爪部４２及びバリア装置５０を駆動する機構は、これに限らない。例えば、レンズ鏡筒２に操作スイッチを設け、レンズ鏡筒２をカメラボディ１に挿入した後、この操作スイッチを押圧操作することによってバリア装置５０を開位置、爪部４２を突出位置にそれぞれ駆動する構成にしてもよい。
（５）実施形態のレンズ鏡筒２は、係合部として板状に形成された爪部４２を備え、この爪部４２がカメラボディ１の爪部２２に係合することによってカメラボディ１に締結されたが、係合部の形状はこれに限らず、例えば、マウント基部４１に対してレンズ鏡筒２の径方向に移動可能に設けられた、例えば、ピン状の部材でもよい。この場合、カメラボディ側には、ピン状に形成された係合部と嵌合する孔部を形成するとよい。
（６）実施形態のレンズ鏡筒２は、係合部として２つの爪部４２を備えたが、係合部の数は、これに限らず、１つでも３つ以上でもよい。
（７）実施形態において、鏡筒本体部３０及びマウント基部４１は、それぞれ円筒形状に形成されたが、これらの形状は、筒状であればこれに限らず、例えば、角筒状（外形断面が矩形）であってもよい（内空断面は円形でも矩形でもよい）。
【図面の簡単な説明】
【００３１】
【図１】実施形態のレンズ鏡筒を含むカメラシステムを示す斜視図である。
【図２】図１に示すレンズ鏡筒に備えられた爪部の駆動機構及びバリア装置の開閉機構を光軸方向から見た平面図である。
【図３】図２の爪部の駆動機構及びバリア装置の開閉機構を示す断面図であり、爪部同士の係合の動作を示している。
【図４】図２の爪部の駆動機構及びバリア装置の開閉機構を示す断面図であり、バリア装置が閉位置から開位置に移動する際の動作を示している。
【符号の説明】
【００３２】
１  カメラボディ  ：  ２  レンズ鏡筒  ：  ４０  マウント部  ：  ４１  マウント基部  ：  ４２  爪部  ：  ５０  バリア装置  ：  ５１  羽根部材  ：  ５２  羽根駆動部材  ：  ５３  開閉レバー  ：  ５４  解除ボタン
【図１】
2010026469.tif 000003
【図２】
2010026469.tif 000004
【図３】
2010026469.tif 000005
【図４】
2010026469.tif 000006